(57)【要約】【課題】  撮影画像データの被写体情報を自動的に最新の情報で書き換え更新する。【解決手段】  撮影位置情報と撮影日時情報と被写体関連情報とが付帯情報として付加されている撮影画像データに対するアクションタイミング時にインターネット経由で送信するユーザ側端末装置４と、ユーザ側端末装置４が送信した撮影位置情報及び撮影日時情報を受信するセンターサーバ２とを備え、センターサーバ２は受信した撮影位置情報及び撮影日時情報によりデータベース２ｂ，２ｃを検索して撮影画像データに関連する最新被写体関連情報を取得しユーザ側端末装置４に返送する機能を備え、ユーザ側端末装置４は撮影画像データに既に付属する被写体関連情報と最新被写体関連情報との新旧を比較し最新被写体関連情報の方が新しいとき最新被写体関連情報を撮影画像データの付帯情報として書き込む機能を備える。【選択図】  図１
2006146475.tif 000002
【特許請求の範囲】
【請求項１】
撮影位置情報と撮影日時情報と被写体関連情報とが付帯情報として付加されている撮影画像データに対するアクションタイミング時にユーザ側端末装置がインターネット経由で送信してくる前記撮影画像データを受信するセンターサーバを備える画像データ付帯情報自動更新システムであって、前記センターサーバは、受信した前記撮影画像データに付加されている前記撮影位置情報及び前記撮影日時情報によりデータベースを検索して該撮影画像データに関連する最新被写体関連情報を取得すると共に前記撮影画像データに既に付加されている前記被写体関連情報と前記最新被写体関連情報との新旧を比較し該最新被写体関連情報の方が新しいとき該最新被写体関連情報を前記撮影画像データの前記付帯情報として書き込み前記ユーザ側端末装置に返送する機能を備えることを特徴とする画像データ付帯情報自動更新システム。
【請求項２】
撮影位置情報と撮影日時情報と被写体関連情報とが付帯情報として付加されている撮影画像データに対するアクションタイミング時にインターネット経由で送信するユーザ側端末装置と、該ユーザ側端末装置が送信した前記撮影位置情報及び前記撮影日時情報を受信するセンターサーバとを備える画像データ付帯情報自動更新システムであって、前記センターサーバは受信した前記撮影位置情報及び前記撮影日時情報によりデータベースを検索して前記撮影画像データに関連する最新被写体関連情報を取得し前記ユーザ側端末装置に返送する機能を備え、前記ユーザ側端末装置は前記撮影画像データに既に付属する前記被写体関連情報と前記最新被写体関連情報との新旧を比較し該最新被写体関連情報の方が新しいとき該最新被写体関連情報を当該撮影画像データの前記付帯情報として書き込む機能を備えることを特徴とする画像データ付帯情報自動更新システム。
【請求項３】
前記アクションタイミング時は、前記撮影画像データの撮影タイミング、ビュアーアプリケーションソフトウェアによる閲覧タイミング、撮影端末装置がクレードルに置かれたタイミング、前記撮影画像データがパーソナルコンピュータに転送されたタイミング、前記撮影画像データが電子メールに添付されて転送されるタイミング、前記撮影画像データがプリントアウトされるタイミングのいずれかのタイミングであって、インターネットに送信可能なタイミングであることを特徴とする請求項１または請求項２に記載の画像データ付帯情報自動更新システム。
【請求項４】
前記インターネットに接続され、設置地域の各種イベント情報が入力されると共に前記センターサーバによって前記イベント情報が収集されるローカルサーバ群を備えることを特徴とする請求項１乃至請求項３のいずれかに記載の画像データ付帯情報自動更新システム。
【請求項５】
撮影位置情報と撮影日時情報と被写体関連情報とが付帯情報として付加されている撮影画像データに対するアクションタイミング時にユーザ側端末装置は前記撮影画像データをインターネット経由でセンターサーバに送信し、該センターサーバは、受信した前記撮影画像データに付加されている前記撮影位置情報及び前記撮影日時情報によりデータベースを検索して該撮影画像データに関連する最新被写体関連情報を取得すると共に前記撮影画像データに既に付加されている前記被写体関連情報と前記最新被写体関連情報との新旧を比較し該最新被写体関連情報の方が新しいとき該最新被写体関連情報を前記付帯情報として前記撮影画像データに書き込み前記ユーザ側端末装置に返送することを特徴とする画像データ付帯情報自動更新方法。
【請求項６】
撮影位置情報と撮影日時情報と被写体関連情報とが付帯情報として付加されている撮影画像データに対するアクションタイミング時にユーザ側端末装置は前記撮影位置情報及び前記撮影日時情報をインターネット経由でセンターサーバに送信し、該センターサーバは受信した前記撮影位置情報及び前記撮影日時情報によりデータベースを検索して前記撮影画像データに関連する最新被写体関連情報を取得して前記ユーザ側端末装置に返送し、該ユーザ側端末装置は前記撮影画像データに既に付属する前記被写体関連情報と前記最新被写体情報との新旧を比較し該最新被写体関連情報の方が新しいとき該最新被写体関連情報を当該撮影画像データの前記付帯情報として書き込むことを特徴とする画像データ付帯情報自動更新方法。
【請求項７】
ユーザ側端末装置に搭載され、撮影位置情報と撮影日時情報と被写体関連情報とが付帯情報として付加されている撮影画像データに対するアクションタイミング時に起動される画像データ付帯情報自動更新プログラムであって、前記撮影画像データをインターネット経由でセンターサーバに送信するステップと、該撮影画像データの前記撮影位置情報及び前記撮影日時情報に基づいて前記センターサーバがデータベースを検索して得た最新被写体関連情報と前記撮影画像データに既に付加されている前記被写体関連情報との新旧を該センターサーバが比較し前記最新被写体関連情報の方が新しいとき該センターサーバが該最新被写体関連情報を前記付帯情報として書き込み返送してきた前記撮影画像データを受信するステップとを備えることを特徴とする画像データ付帯情報自動更新プログラム。
【請求項８】
ユーザ側端末装置に搭載され、撮影位置情報と撮影日時情報と被写体関連情報とが付帯情報として付加された撮影画像データに対するアクションタイミング時に起動される画像データ付帯情報自動更新プログラムであって、前記撮影位置情報及び前記撮影日時情報をインターネット経由でセンターサーバに送信するステップと、前記撮影位置情報及び前記撮影日時情報に基づいてデータベースを検索した前記センターサーバが該データベースから取得した最新被写体関連情報の送信を受けるステップと、受信した前記最新被写体関連情報と前記撮影画像データに既に付加されている前記被写体関連情報との新旧を比較し前記最新被写体関連情報の方が新しいとき該最新被写体関連情報を該撮影画像データの前記付帯情報として書き込むステップとを備えることを特徴とする画像データ付帯情報自動更新プログラム。
【発明の詳細な説明】
【技術分野】
【０００１】
本発明は、ＧＰＳ（グローバルポジショニングシステム）機能を搭載したデジタルカメラやカメラ付携帯電話機等で撮影された画像データに付加されているヘッダ情報（例えば、Ｅｘｉｆ（Exchangeable Image File format）情報）などの付帯情報を最新の情報に更新する方法及びそのシステム並びに画像データ付帯情報自動更新プログラムに関する。
【背景技術】
【０００２】
近年のデジタルカメラやカメラ付携帯電話機には、時計などの計時手段の他にＧＰＳ機能が搭載され、撮影した画像データの付帯情報として、撮影位置情報や撮影日時情報を付加することができる様になっている。このため、斯かる機能を利用すべく、例えば下記特許文献１記載の従来技術では、ユーザ側が撮影画像データの撮影位置情報と撮影日時情報を情報提供サーバに送信したとき、情報提供サーバはこれらの情報に基づいたサービス情報を返信し、このサービス情報を受信したユーザ側は、撮影画像データの付帯情報としてこのサービス情報を付加する様になっている。
【０００３】
例えば、多摩川で行われている花火大会というイベントの様子をデジタルカメラで撮影し、この撮影画像データを保存したパソコンがインターネットに接続されたとき、情報提供サーバがその撮影画像データの撮影位置情報と撮影日時情報とを受信し、情報提供サーバはこれら情報に基づいてイベントデータベースを検索し、多摩川で行われている花火大会というイベントを特定する。そして、情報提供サーバが「多摩川での花火大会」というイベント名をサービス情報としてパソコンに返信すると、パソコンはその撮影画像データの付帯情報としてこのイベント名を記録する。これにより、その撮影画像データを後でビュアーソフトにより閲覧したとき、多摩川での花火大会の写真であると容易に分かることになる。
【０００４】
【特許文献１】特開２００４―８０２４３号公報
【発明の開示】
【発明が解決しようとする課題】
【０００５】
上述した従来技術は、イベント名等のサービス情報を撮影後に付帯情報として付加するため、撮影画像データの識別，分類等に好適である。しかし、イベント等の特性として、例えば、１０月２０日の午後１時〜３時に○○チームと××チームが東経何度，北緯何度に在るサッカースタジアムで試合を行うというイベントの名前は試合開始前でもイベントデータベースを検索することで容易に分かるが、試合開始後の何分に誰がシュートして得点したという仔細な情報は、イベント開始後にしか分からず、また、その情報が情報提供サーバのイベントデータベースに入力されるのは更にその後になってしまう。
【０００６】
この様な仔細な情報で撮影画像データを識別，分類したいというユーザは、上記の従来技術の場合、情報提供サーバに必要な情報が蓄積された頃を見計らってインターネットに接続する必要があり、それまでの間はその撮影画像データの付帯情報を情報提供サーバに送信してサービス情報を得ることができない。
【０００７】
本発明の目的は、撮影位置情報と撮影日時情報とによって特定される最新のサービス情報を取得し何回でも最新情報で付帯情報を更新することが可能な画像データ付帯情報自動更新方法及びそのシステム並びに画像データ付帯情報自動更新プログラムを提供することにある。
【課題を解決するための手段】
【０００８】
本発明の画像データ付帯情報自動更新システムは、撮影位置情報と撮影日時情報と被写体関連情報とが付帯情報として付加されている撮影画像データに対するアクションタイミング時にユーザ側端末装置がインターネット経由で送信してくる前記撮影画像データを受信するセンターサーバを備える画像データ付帯情報自動更新システムであって、前記センターサーバは、受信した前記撮影画像データに付加されている前記撮影位置情報及び前記撮影日時情報によりデータベースを検索して該撮影画像データに関連する最新被写体関連情報を取得すると共に前記撮影画像データに既に付加されている前記被写体関連情報と前記最新被写体関連情報との新旧を比較し該最新被写体関連情報の方が新しいとき該最新被写体関連情報を前記撮影画像データの前記付帯情報として書き込み前記ユーザ側端末装置に返送する機能を備えることを特徴とする。
【０００９】
本発明の画像データ付帯情報自動更新システムは、撮影位置情報と撮影日時情報と被写体関連情報とが付帯情報として付加されている撮影画像データに対するアクションタイミング時にインターネット経由で送信するユーザ側端末装置と、該ユーザ側端末装置が送信した前記撮影位置情報及び前記撮影日時情報を受信するセンターサーバとを備える画像データ付帯情報自動更新システムであって、前記センターサーバは受信した前記撮影位置情報及び前記撮影日時情報によりデータベースを検索して前記撮影画像データに関連する最新被写体関連情報を取得し前記ユーザ側端末装置に返送する機能を備え、前記ユーザ側端末装置は前記撮影画像データに既に付属する前記被写体関連情報と前記最新被写体関連情報との新旧を比較し該最新被写体関連情報の方が新しいとき該最新被写体関連情報を当該撮影画像データの前記付帯情報として書き込む機能を備えることを特徴とする。
【００１０】
本発明の画像データ付帯情報自動更新システムの前記アクションタイミング時は、前記撮影画像データの撮影タイミング、ビュアーアプリケーションソフトウェアによる閲覧タイミング、撮影端末装置がクレードルに置かれたタイミング、前記撮影画像データがパーソナルコンピュータに転送されたタイミング、前記撮影画像データが電子メールに添付されて転送されるタイミング、前記撮影画像データがプリントアウトされるタイミングのいずれかのタイミングであって、インターネットに送信可能なタイミングであることを特徴とする。
【００１１】
本発明の画像データ付帯情報自動更新システムは、前記インターネットに接続され、設置地域の各種イベント情報が入力されると共に前記センターサーバによって前記イベント情報が収集されるローカルサーバ群を備えることを特徴とする。
【００１２】
本発明の画像データ付帯情報自動更新方法は、撮影位置情報と撮影日時情報と被写体関連情報とが付帯情報として付加されている撮影画像データに対するアクションタイミング時にユーザ側端末装置は前記撮影画像データをインターネット経由でセンターサーバに送信し、該センターサーバは、受信した前記撮影画像データに付加されている前記撮影位置情報及び前記撮影日時情報によりデータベースを検索して該撮影画像データに関連する最新被写体関連情報を取得すると共に前記撮影画像データに既に付加されている前記被写体関連情報と前記最新被写体関連情報との新旧を比較し該最新被写体関連情報の方が新しいとき該最新被写体関連情報を前記付帯情報として前記撮影画像データに書き込み前記ユーザ側端末装置に返送することを特徴とする。
【００１３】
本発明の画像データ付帯情報自動更新方法は、撮影位置情報と撮影日時情報と被写体関連情報とが付帯情報として付加されている撮影画像データに対するアクションタイミング時にユーザ側端末装置は前記撮影位置情報及び前記撮影日時情報をインターネット経由でセンターサーバに送信し、該センターサーバは受信した前記撮影位置情報及び前記撮影日時情報によりデータベースを検索して前記撮影画像データに関連する最新被写体関連情報を取得して前記ユーザ側端末装置に返送し、該ユーザ側端末装置は前記撮影画像データに既に付属する前記被写体関連情報と前記最新被写体情報との新旧を比較し該最新被写体関連情報の方が新しいとき該最新被写体関連情報を当該撮影画像データの前記付帯情報として書き込むことを特徴とする。
【００１４】
本発明の画像データ付帯情報自動更新プログラムは、ユーザ側端末装置に搭載され、撮影位置情報と撮影日時情報と被写体関連情報とが付帯情報として付加されている撮影画像データに対するアクションタイミング時に起動される画像データ付帯情報自動更新プログラムであって、前記撮影画像データをインターネット経由でセンターサーバに送信するステップと、該撮影画像データの前記撮影位置情報及び前記撮影日時情報に基づいて前記センターサーバがデータベースを検索して得た最新被写体関連情報と前記撮影画像データに既に付加されている前記被写体関連情報との新旧を該センターサーバが比較し前記最新被写体関連情報の方が新しいとき該センターサーバが該最新被写体関連情報を前記付帯情報として書き込み返送してきた前記撮影画像データを受信するステップとを備えることを特徴とする。
【００１５】
本発明の画像データ付帯情報自動更新プログラムは、ユーザ側端末装置に搭載され、撮影位置情報と撮影日時情報と被写体関連情報とが付帯情報として付加された撮影画像データに対するアクションタイミング時に起動される画像データ付帯情報自動更新プログラムであって、前記撮影位置情報及び前記撮影日時情報をインターネット経由でセンターサーバに送信するステップと、前記撮影位置情報及び前記撮影日時情報に基づいてデータベースを検索した前記センターサーバが該データベースから取得した最新被写体関連情報の送信を受けるステップと、受信した前記最新被写体関連情報と前記撮影画像データに既に付加されている前記被写体関連情報との新旧を比較し前記最新被写体関連情報の方が新しいとき該最新被写体関連情報を該撮影画像データの前記付帯情報として書き込むステップとを備えることを特徴とする。
【発明の効果】
【００１６】
本発明によれば、撮影画像データに対する何らかのアクションが行われる度にセンターサーバにアクセスして被写体に関連する情報（イベント情報）を取得し、得られた情報が最新の情報であるか否かを判定し、最新の場合にその被写体関連情報を付帯情報として撮影画像データに付けるため、ユーザが意識しなくても自動的に最新の被写体関連情報が撮影画像データに付帯情報として書き込まれる。
【発明を実施するための最良の形態】
【００１７】
以下、本発明の一実施形態について、図面を参照して説明する。
【００１８】
図１は、本発明の第１の実施形態に係る画像データ付帯情報自動更新方法を実施するシステムの全体構成図である。このシステムは、インターネット１に接続されたセンターサーバ（情報提供サーバ）２と、インターネット１に接続された多数のローカルサーバ群３と、インターネット１に接続されるユーザ側端末装置４とを備える。ユーザ側端末装置４は、カメラ付携帯電話機や通信機能付デジタルカメラ等の他、これら端末装置で撮影された画像データの転送を受けたパーソナルコンピュータや通信機能付ＰＤＡ等である。
【００１９】
センターサーバ２は、制御部２ａと、イベントデータベース２ｂと、施設マッピング情報データベース２ｃとを備える。施設マッピング情報データベース２ｃには、全国各地に存在する施設や場所，地域等の経度，緯度情報が施設名，場所名等に対応して格納されており、経度，緯度情報によって施設名等が検索可能となっている。また、イベントデータベース２ｂには、全国各地で行われるイベントの情報が施設名等に対応して格納されており、施設名等と日時情報とに基づいて当該施設等において行われたイベント情報が検索できるようになっている。
【００２０】
ローカルサーバ群３の個々のローカルサーバは、例えば、写真プリントサービスを行う全国のＤＰＥ店等に設置され、サービス店員等の各地域の担当者が、近くの学校で行われている運動会やお祭り等のイベントに関連する情報を入力し、また、これらのイベントに関する情報を更新入力する様になっている。
【００２１】
図２は、センターサーバ２がローカルサーバ群３からイベント関連情報を収集しイベントデータベース２ｂの格納情報を更新する処理概要を説明する図である。
【００２２】
地域担当者が、担当地域で行われている各種イベントの情報を時刻情報，場所名（施設名）情報と共にパソコン等に入力し、また、イベント情報に追加情報や訂正情報がある場合にはその情報をその都度入力すると、これらの入力情報はローカルサーバ３の最新の格納情報として反映される。
【００２３】
センターサーバ２の制御部２ａは、アプリケーションソフトウェアである情報収集エージェントが非同期にタイマーなどで定期的に起動し、各ローカルサーバ３からイベント情報を収集し、イベントデータベース２ｂの格納情報を最新の情報に更新する。尚、最新の情報とは、ある情報（元情報）が修正された場合には修正情報が最新の情報であり、元情報に追加情報がある場合には元情報及び追加情報が最新の情報である。
【００２４】
ユーザがＧＰＳ機能及び計時機能を持ったデジタルカメラ等で画像を撮影すると、その撮影画像データのＥｘｉｆヘッダ情報には、撮影場所の経度，緯度情報（撮影位置情報）と、撮影した年月日及び撮影時刻の情報（撮影日時情報）とが書き込まれる。そして、この撮影画像データに対する何らかのアクションが起こされたとき、画像データ付帯情報自動更新プログラムが起動する。
【００２５】
撮影画像データに対するアクションとは、例えばデジタルカメラ等のレリーズボタンが押下され、撮影画像データを撮影位置情報及び撮影日時情報と共にメモリに格納したときを含むが、その他に、撮影画像データを保持しているデジタルカメラ等やパーソナルコンピュータ等でビューアソフトを起動して撮影画像データを閲覧するとき、デジタルカメラ等をクレードルに置いたとき、デジタルカメラ等からパーソナルコンピュータ等に撮影画像データを転送したとき、電子メール等で撮影画像データを送信するとき、撮影画像データをプリントアウトするとき等を含む。また、ユーザが明示的に画像データ付帯情報自動更新の指示入力を行ったときも含む。
【００２６】
画像データ付帯情報自動更新プログラムが起動すると、デジタルカメラやパーソナルコンピュータ等のユーザ側端末装置４は、インターネット１に接続されていることを確認し、未接続状態のときはインターネット１に接続し、センターサーバ２にアクセスする。そして、撮影画像データをセンターサーバ２に送信する。
【００２７】
画像データ付帯情報自動更新プログラムは、撮影画像データをセンターサーバ２に送信した後、センターサーバ２からこの撮影画像データが返送されてくるのを待機し、返送されてきたとき、送信した撮影画像データを、返送されてきた撮影画像データで上書きする。
【００２８】
ユーザ側端末装置４から送信された撮影画像データを受信したセンターサーバ２では、受信した撮影画像データの付帯情報（撮影位置情報及び撮影日時情報）を読み出し、撮影位置情報（経度，緯度情報）に基づいて施設マッピング情報データベース２ｃを検索し、撮影位置に存在する施設名等を求める。次に、この施設名に基づいてイベントデータベース２ｂを検索し、当該施設等で撮影日時において行われていたイベントを特定する。
【００２９】
センターサーバ２は、そのイベントに関するイベント関連情報をイベントデータベース２ｂから取り出すと共に、撮影画像データに付帯情報として既に書き込まれているイベント関連情報すなわち被写体に関する情報（被写体関連情報）が存在する場合には、そのイベント関連情報の日時情報とイベントデータベース２ｂから取り出したイベント関連情報（最新被写体関連情報）の日時情報とを比較する。
【００３０】
そして、撮影画像データに付帯情報として既に書き込まれているイベント関連情報が旧情報の場合には、あるいは付帯情報として未だイベント関連情報が書き込まれていない場合には、最新のイベント関連情報（イベントデータベース２ｂのイベント関連情報）で書き換え、撮影画像データをユーザ側端末装置４に返信する。
【００３１】
上述した実施形態では、撮影位置情報及び撮影日時情報を含む付帯情報と共に撮影画像データ本体もユーザ側端末装置４とセンターサーバ２との間で授受したが、撮影画像データ本体の授受を一々行う必要はなく、付帯情報のみを授受できれば十分であり、それだけネット負荷が軽減する。
【００３２】
しかし、この場合には、ユーザ側端末装置４側に搭載する画像データ付帯情報自動更新プログラムが、撮影画像データの付帯情報を書き換える機能を持つ必要がある。以下、この実施形態を説明する。
【００３３】
図３は、ユーザ側端末装置４に搭載された本発明の第２の実施形態に係る画像データ付帯情報自動更新プログラムの処理手順を示すフローチャートである。
【００３４】
ユーザ側端末装置４で撮影画像データに対するアクション、例えば画像ビューアが起動されたとき（ステップＳ１）、あるいは、画像ビューア起動中にその撮影画像データが選択，拡大，クリックなどされたとき、あるいは明示的にイベント情報取得指示入力がされたとき（ステップＳ２）、当該撮影画像データの付帯情報から撮影位置情報及び撮影日時情報を読み出し、イベント関連情報検索処理（ステップＳ３）を行う。
【００３５】
このイベント関連情報検索処理（ステップＳ３）では、インターネット１を介してセンターサーバ２に撮影位置情報及び撮影日時情報を送信し、イベント関連情報あるいはイベント関連情報無しの情報がセンターサーバ２から送信されてくるのを待機する。
【００３６】
センターサーバ２は、受信した撮影位置情報と撮影日時情報とに基づいてイベント関連情報をイベントデータベース２ｂから求め、求めたイベント関連情報あるいはイベント関連情報無しの情報をユーザ側端末装置４に送信する。
【００３７】
ユーザ側端末装置４は、次のステップＳ４で、イベント関連情報の取得の正否を判定し、イベント関連情報無しの情報をセンターサーバ２から受信した場合には、この画像データ付帯情報自動更新プログラムを終了し、画像ビューアの処理に戻る。
【００３８】
イベント関連情報がセンターサーバ２から送信されてきた場合にはステップＳ４の判定結果は肯定（ＹＥＳ）となり、次に撮影画像データ中のＥｘｉｆヘッダにイベント関連情報が既に書き込まれているか否かを判定する（ステップＳ５）。イベント関連情報が書き込まれていない場合には、ステップＳ３でセンターサーバ２から取得したイベント関連情報をＥｘｉｆヘッダに書き込んで（ステップＳ６）からこの画像データ付帯情報自動更新プログラムを終了し、画像ビューアの処理に戻る。
【００３９】
ステップＳ５での判定の結果、Ｅｘｉｆヘッダに既にイベント関連情報が書き込まれている場合には、ステップＳ５からステップＳ７に進み、既に書き込まれているイベント関連情報の日時情報とステップＳ３で取得したイベント関連情報の日時情報とを比較し、ステップＳ３で取得したイベント関連情報が新しい場合にはステップＳ６に進んでイベント関連情報の更新を行い、ステップＳ３で取得したイベント関連情報が新しくない場合には画像データ付帯情報自動更新プログラムを終了し、画像ビューアの処理に戻る。
【００４０】
尚、この実施形態では、最新のイベント関連情報と既に付帯情報として書き込まれているイベント関連情報との新旧の比較をユーザ側端末装置で行っているが、既に付帯情報として書き込まれているイベント関連情報もセンターサーバがユーザ側端末装置から受け取り、新旧の判定をセンターサーバ側が行い、最新イベント関連情報の方が新しいときのみセンターサーバがユーザ側端末装置に送信する構成としても良い。
【００４１】
図４は、本発明の第３の実施形態に係る画像データ付帯情報自動更新プログラムの処理手順を示すフローチャートである。第２の実施形態の画像データ付帯情報自動更新プログラムでは、撮影画像データ１枚毎に付帯情報中のイベント関連情報の自動更新を行ったが、本実施形態では、撮影画像データ複数枚の各イベント関連情報を一度に自動更新する。
【００４２】
ユーザ側端末装置４で撮影画像データに対するアクション、例えば画像ビューアが起動されると（ステップＳ１）、記憶メディア中の撮影画像データをスキャンし（ステップＳ１１）、撮影位置情報及び撮影日時情報を持つ撮影画像データをリストアップする（ステップＳ１２）。
【００４３】
次に、リストの第１番目の撮影画像データに対して、図３で説明したステップＳ３〜ステップＳ７を実行し、これらの実行後に、リストの最後まで処理が進んだか否かを判定する（ステップＳ１３）。リストの最後まで処理が進んでいない場合にはステップＳ３に戻り、リストの最後まで処理が進んだとき、この画像データ付帯情報自動更新プログラムを終了し、画像ビューアの処理に戻る。
【産業上の利用可能性】
【００４４】
本発明によれば、撮影画像データに関するイベント情報（被写体関連情報）が付帯情報として付加されると共にこのイベント関連情報が最新の情報に自動的に更新されるため、デジタルカメラやカメラ付携帯電話機，撮影画像データを処理するパーソナルコンピュータ等の利便性が高まる。
【図面の簡単な説明】
【００４５】
【図１】本発明の第１の実施形態に係る画像データ付帯情報自動更新方法を実施するシステムの全体構成図である。
【図２】図１に示すセンターサーバがローカルサーバ群からイベント関連情報を収集しイベントデータベースの格納情報を更新する処理概要の説明図である。
【図３】本発明の第２の実施形態に係る画像データ付帯情報自動更新プログラムの処理手順を示すフローチャートである。
【図４】本発明の第３の実施形態に係る画像データ付帯情報自動更新プログラムの処理手順を示すフローチャートである。
【符号の説明】
【００４６】
１  インターネット
２  センターサーバ
２ａ  制御部
２ｂ  イベントデータベース
２ｃ  施設マッピング情報データベース
３  ローカルサーバ群
４  ユーザ側端末装置
【図１】
2006146475.tif 000003
【図２】
2006146475.tif 000004
【図３】
2006146475.tif 000005
【図４】
2006146475.tif 000006